(57)【要約】    【課題】  滑らかで良質な動画表示が得られるようにした場合であっても小型化が容易な構造をもったプロジェクタを提供する。    【解決手段】照明装置１００Ａと、色分離光学系２００Ａと、３つの液晶表示装置４００Ｒ，４００Ｇ，４００Ｂと、投写光学系６００とを備えたプロジェクタにおいて、照明装置１００Ａは、液晶表示装置と共役の位置において照明光束が色分離光学系２００Ａが構成する平面に対して直交する方向（ｙ軸方向）に沿ってスクロールされる結果、液晶表示装置上で、光照射領域と光非照射領域とが、液晶表示装置の画面書込み周波数に同期して、色分離光学系が構成する平面に対して直交する方向（ｙ軸方向）に沿って、順次交互にスクロールされるように構成された照明装置であり、液晶表示装置上で光照射領域と光非照射領域とがスクロールする方向は、３つの液晶表示装置ですべて同一であることを特徴とするプロジェクタ。【選択図】  図１
2005173001.tif 000002
【特許請求の範囲】
【請求項１】
照明装置と、
この照明装置からの照明光束を複数の色光に分離する色分離光学系と、
前記色分離光学系で分離された複数の色光のそれぞれを画像情報に応じて変調する複数の電気光学変調装置と、
この複数の電気光学変調装置によって変調された色光を投写する投写光学系とを備えたプロジェクタにおいて、
前記照明装置は、前記複数の電気光学変調装置と共役の位置において照明光束が前記色分離光学系が構成する平面に対して直交する方向に沿ってスクロールされる結果、前記複数の電気光学変調装置上で、光照射領域と光非照射領域とが、前記電気光学変調装置の画面書込み周波数に同期して、前記色分離光学系が構成する平面に対して直交する方向に沿って、順次交互にスクロールされるように構成された照明装置であり、
前記複数の電気光学変調装置上で光照射領域と光非照射領域とがスクロールする方向は、前記複数の電気光学変調装置ですべて同一であることを特徴とするプロジェクタ。
【請求項２】
請求項１に記載のプロジェクタにおいて、
前記照明装置からの照明光束を前記複数の電気光学変調装置に導く導光光学系のうち、一の色光についての一の導光光学系は相対的に短い導光距離を有し、他の色光についての他の導光光学系は相対的に長い導光距離を有し、
前記他の導光光学系は、前記一の導光光学系の構成に加えて２つのリレー光学系をさらに有する導光光学系であることを特徴とするプロジェクタ。
【請求項３】
請求項１に記載のプロジェクタにおいて、
前記照明装置からの照明光束を前記複数の電気光学変調装置に導く導光光学系のうち、一の色光についての一の導光光学系は相対的に短い導光距離を有し、他の色光についての他の導光光学系は相対的に長い導光距離を有し、
前記他の導光光学系は、前記一の導光光学系の構成に加えて１つのリレー光学系及び１つの反転光学系をさらに有する導光光学系であることを特徴とするプロジェクタ。
【請求項４】
請求項３に記載のプロジェクタにおいて、
前記反転光学系は、３枚のミラーからなる反転光学系であることを特徴とするプロジェクタ。
【請求項５】
請求項３に記載のプロジェクタにおいて、
前記反転光学系は、断面形状が台形である台形プリズムからなる反転光学系であることを特徴とするプロジェクタ。
【請求項６】
請求項１に記載のプロジェクタにおいて、
前記照明装置からの照明光束を前記複数の電気光学変調装置に導く導光光学系のうち、いずれの色光についての導光光学系も同一の導光距離を有する導光光学系であり、これらの導光光学系に含まれるリレー光学系の数が等しいことを特徴とするプロジェクタ。
【請求項７】
請求項１〜６のいずれかに記載のプロジェクタにおいて、  
前記照明装置は、被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドの光射出面のすぐ被照明領域側に配置され、光軸に平行な回転軸を有するとともに、その回転によって、前記電気光学変調装置上で光照射領域と光非照射領域とが前記電気光学変調装置の画面書込み周波数に同期して順次交互にスクロールされるように構成された光透過領域と光非透過領域とを有する回転ホイールとを有する照明装置であることを特徴とするプロジェクタ。
【請求項８】
請求項７に記載のプロジェクタにおいて、
前記回転ホイールの光非透過領域は、光反射領域であり、かつ、前記インテグレータロッドの光入射面には、中央部に光入射のための開口部を有する反射層が配置されてなることを特徴とするプロジェクタ。
【請求項９】
請求項６に記載のプロジェクタにおいて、
前記照明装置は、被照明領域側に集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドと前記色分離光学系との間に配置された第１のフィールドレンス及び第２のフィールドレンズと、
これら第１のフィールドレンズと第２のフィールドレンズとの間に配置され、光軸に垂直な回転軸を有するとともに、その回転によって、前記電気光学変調装置上で光照射領域と光非照射領域とが前記電気光学変調装置の画面書込み周波数に同期して順次交互にスクロールされるように構成された回転プリズムとを有する照明装置であることを特徴とするプロジェクタ。
【請求項１０】
請求項９に記載のプロジェクタにおいて、
前記インテグレータロッドの光射出面は、前記電気光学変調装置における光照射領域の形状に対応して、前記色分離光学系が構成する平面に対して直交する方向に沿って圧縮された断面形状を有してなる、又は前記色分離光学系が構成する平面に対して直交する方向に沿って圧縮された光射出面を有するように構成された光反射面が形成されてなることを特徴とするプロジェクタ。
【請求項１１】
請求項７〜１０のいずれかに記載のプロジェクタにおいて、  
前記光源装置は、楕円面リフレクタと、この楕円面リフレクタの第１焦点近傍に発光中心を有する発光管とを有する光源装置であることを特徴とするプロジェクタ。
【請求項１２】
請求項６に記載のプロジェクタにおいて、
前記照明装置は、被照明領域側に略平行な集束光束を射出する光源装置と、
この光源装置からの照明光束を複数の部分光束に分割するための小レンズを有する第１レンズアレイと、
この第１レンズアレイの前記複数の小レンズに対応する複数の小レンズを有する第２レンズアレイと、
この第２レンズアレイからの各部分光束を被照明領域で重畳させるための重畳レンズと、
この重畳レンズと前記色分離光学系との間に配置された第１のフィールドレンス及び第２のフィールドレンズと、
これら第１のフィールドレンズと第２のフィールドレンズとの間に配置され、光軸に垂直な回転軸を有するとともに、その回転によって、前記電気光学変調装置上で光照射領域と光非照射領域とが前記電気光学変調装置の画面書込み周波数に同期して順次交互にスクロールされるように構成された回転プリズムとを有する照明装置であることを特徴とするプロジェクタ。
【請求項１３】
請求項１２に記載のプロジェクタにおいて、
前記第１レンズアレイの小レンズは、前記電気光学変調装置における光照射領域の形状に対応して、前記色分離光学系が構成する平面に対して直交する方向に沿って圧縮された断面形状を有してなる、又は前記色分離光学系が構成する平面に対して直交する方向に沿って圧縮された光射出面を有するように構成された遮光面が形成されてなることを特徴とするプロジェクタ。
【請求項１４】
請求項１２又は１３に記載のプロジェクタにおいて、  
前記光源装置は、楕円面リフレクタと、この楕円面リフレクタの第１焦点近傍に発光中心を有する発光管と、平行化レンズとを有する光源装置、
又は放物面リフレクタと、この放物面リフレクタの焦点近傍に発光中心を有する発光管とを有する光源装置であることを特徴とするプロジェクタ。
【請求項１５】
請求項１１又は１４に記載のプロジェクタにおいて、
前記発光管には、前記発光管から被照明領域側に射出される光を前記楕円面リフレクタ又は前記放物面リフレクタに向けて反射する反射手段が設けられていることを特徴とするプロジェクタ。
【発明の詳細な説明】
【技術分野】
【０００１】
本発明はプロジェクタに関する。 
【背景技術】
【０００２】
図９は、従来のプロジェクタを説明するために示す図である。図９（ａ）は従来のプロジェクタの光学系を示す図であり、図９（ｂ）及び図９（ｃ）はこのような従来のプロジェクタの問題点を説明するための図である。
このプロジェクタ９００Ａにおいては、電気光学変調装置として用いる液晶表示装置４００Ｒ，４００Ｇ，４００Ｂが、図９（ｂ）に示すような輝度特性を有するホールド型の表示装置であるため、図９（ｃ）に示すような輝度特性を有するインパルス型の表示装置であるＣＲＴの場合とは異なり、いわゆる尾引き現象のために滑らかな動画表示が得られないという問題点がある（この尾引き現象については、例えば、非特許文献１参照。）。
【０００３】
図１０は、従来の他のプロジェクタを説明するために示す図である。図１０（ａ）は従来の他のプロジェクタの光学系を示す図であり、図１０（ｂ）及び図１０（ｃ）はこのような従来の他のプロジェクタに用いられる光シャッタを示すための図である。
このプロジェクタ９００Ｂにおいては、図１０（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、液晶表示装置の直前に光シャッタが配置されているため、大きい光シャッタが必要であり、プロジェクタの小型化が容易ではないという問題があった。また、このようなプロジェクタにおいては、光シャッタにより間欠的に光を遮断するようにしているため、光利用効率が大幅に低下するという問題もあった。
【０００５】
本発明は、このような問題を解決するためになされたもので、滑らかで良質な動画表示が得られるようにした場合であっても小型化が容易な構造をもったプロジェクタを提供することを第１の目的とする。また、滑らかで良質な動画表示が得られるようにした場合であっても光利用効率が大幅に低下しないプロジェクタを提供することを第２の目的とする。
【課題を解決するための手段】
【０００６】
（１）本発明のプロジェクタは、照明装置と、この照明装置からの照明光束を複数の色光に分離する色分離光学系と、前記色分離光学系で分離された複数の色光のそれぞれを画像情報に応じて変調する複数の電気光学変調装置と、この複数の電気光学変調装置によって変調された色光を投写する投写光学系とを備えたプロジェクタにおいて、
前記照明装置は、前記複数の電気光学変調装置と共役の位置において照明光束が前記色分離光学系が構成する平面に対して直交する方向に沿ってスクロールされる結果、前記複数の電気光学変調装置上で、光照射領域と光非照射領域とが、前記電気光学変調装置の画面書込み周波数に同期して、前記色分離光学系が構成する平面に対して直交する方向に沿って、順次交互にスクロールされるように構成された照明装置であり、
前記複数の電気光学変調装置上で光照射領域と光非照射領域とがスクロールする方向は、前記複数の電気光学変調装置ですべて同一であることを特徴とするプロジェクタ。
【０００７】
このため、本発明のプロジェクタによれば、上記のように構成された照明装置を備えているため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
また、本発明のプロジェクタによれば、色分離光学系の光源側に配置された１つの照明装置によって照明光束のスクロールを実現しているため、電気光学変調装置が複数存在するにもかかわらず１つのスクロール機構しか必要としないため、上記した特許文献１のプロジェクタの場合とは異なり、プロジェクタの大型化を極力抑制することができるようになる。
このため、本発明のプロジェクタは、滑らかで良質な動画表示が得られるようにした場合であっても小型化が容易な構造をもったプロジェクタとなり、本発明の第１の目的が達成される。
【０００８】
この場合、尾引き現象を緩和して滑らかで良質な動画表示を得るためには、必ずしもすべての電気光学変調装置上で光照射領域と光非照射領域とがスクロールする方向（以下、「スクロール方向」ということもある。）が同一である必要はないが、本発明のプロジェクタのように、スクロール方向をすべて同一とすることによって、複数の電気光学変調装置間で同じような条件の光照射を行うことができ、さらに良質な動画表示を得ることができるようになる。
【０００９】
（２）上記（１）に記載のプロジェクタにおいては、前記照明装置からの照明光束を前記複数の電気光学変調装置に導く導光光学系のうち、一の色光についての一の導光光学系は相対的に短い導光距離を有し、他の色光についての他の導光光学系は相対的に長い導光距離を有し、前記他の導光光学系は、前記一の導光光学系の構成に加えて２つのリレー光学系をさらに有する導光光学系であることが好ましい。
【００１０】
リレー光学系においては物体と像との関係は反転の関係にある。このため、１つのリレー光学系を用いるだけでは、物体と像との関係は反転の関係にある。そこで、２つのリレー光学系を直列にして用いることにより、物体と像との関係を正立の関係にすることができる。このため、上記のように構成することにより、複数の色光間で異なる導光距離を有する光学系を備えたプロジェクタであっても、複数の電気光学変調装置上でスクロール方向をすべて同一とすることができ、さらに良質な動画表示を得ることができるようになる。
【００１１】
（３）上記（１）に記載のプロジェクタにおいては、前記照明装置からの照明光束を前記複数の電気光学変調装置に導く導光光学系のうち、一の色光についての一の導光光学系は相対的に短い導光距離を有し、他の色光についての他の導光光学系は相対的に長い導光距離を有し、前記他の導光光学系は、前記一の導光光学系の構成に加えて１つのリレー光学系及び１つの反転光学系をさらに有する導光光学系であることも好ましい。
【００１２】
リレー光学系においては物体と像との関係は反転の関係にある。このため、１つのリレー光学系を用いるだけでは、物体と像との関係は反転の関係にある。そこで、電気光学変調装置におけるスクロール方向及びスクロール方向に直交する方向のうちスクロール方向のみを反転する反転光学系をさらに用いることで、複数の電気光学変調装置上でスクロール方向をすべて同一とすることができ、さらに良質な動画表示を得ることができるようになる。
なお、スクロール方向に直交する方向については、照明装置から射出される照明光束と電気光学変調装置に照射される照明光束とは反転の関係になるが、照明光束は通常スクロール方向に直交する方向に沿って対称性の高い強度分布を有するため、これによって表示画像が受ける悪影響は極めて小さいものになる。
【００１３】
（４）上記（３）に記載のプロジェクタにおいては、前記反転光学系は、３枚のミラーからなる反転光学系であることが好ましい。
【００１４】
このように構成することにより、スクロール方向及びスクロール方向に直交する方向のうちスクロール方向のみを反転する反転光学系を容易に実現することができる。
【００１５】
（５）上記（３）に記載のプロジェクタにおいては、前記反転光学系は、断面形状が台形である台形プリズム（ドーブプリズム）からなる反転光学系であることもできる。
【００１６】
このように構成することによっても、スクロール方向及びスクロール方向に直交する方向のうちスクロール方向のみを反転する反転光学系を容易に実現することができる。
【００１７】
（６）上記（１）に記載のプロジェクタにおいては、前記照明装置からの照明光束を前記複数の電気光学変調装置に導く導光光学系のうち、いずれの照明色光束についての導光光学系も同一の導光距離を有する導光光学系であり、これらの導光光学系に含まれるリレー光学系の数が等しいことも好ましい。
【００１８】
このように構成することにより、照明装置から射出される照明光束と電気光学変調装置に照射される照明光束との関係（反転関係又は正立関係）を、複数の電気光学変調装置間ですべて同一とすることができるため、複数の電気光学変調装置上でスクロール方向をすべて同一とすることができ、さらに良質な動画表示を得ることができるようになる。
【００１９】
（７）上記（１）〜（６）のいずれかに記載のプロジェクタにおいては、前記照明装置は、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドの光射出面のすぐ被照明領域側に配置され、光軸に平行な回転軸を有するとともに、その回転によって、前記電気光学変調装置上で光照射領域と光非照射領域とが前記電気光学変調装置の画面書込み周波数に同期して順次交互にスクロールされるように構成された光透過領域と光非透過領域とを有する回転ホイールとを有する照明装置であることが好ましい。
【００２０】
このように構成することにより、上記のように構成された回転ホイールを所定の速度で回転させることによって、前記電気光学変調装置上で光照射領域と光非照射領域とが前記電気光学変調装置の画面書込み周波数に同期して順次交互にスクロールされるようになるため、尾引き現象が緩和され、滑らかで良質な動画表示が得られるプロジェクタとなる。
【００２１】
（８）上記（７）に記載のプロジェクタにおいては、前記回転ホイールの光非透過領域は、光反射領域であり、かつ、前記インテグレータロッドの光入射面には、中央部に光入射のための開口部を有する反射層が配置されてなることが好ましい。
【００２２】
このように構成することにより、回転ホイールの光反射領域で反射された光は、インテグレータロッド内に戻され、さらにインテグレータロッドの光入射面側に設けられた反射層（以下、「リサイクルミラー」ということもある。）で反射されてインテグレータロッドの光射出面から再度射出される。この場合、この射出光が回転ホイールの光透過領域に照射される場合にはそのままこれを透過し、射出光が回転ホイールの光反射領域に照射される場合には反射されて再度インテグレータロッドに戻され、再度同じことを繰り返すことになる。
このため、本発明のプロジェクタによれば、光の再利用が図られ、光利用効率の低下を極力抑制することができ、その結果、滑らかで良質な動画表示が得られるようにしたときにも光利用効率が大幅に低下しないプロジェクタとなり、本発明の第２の目的が達成される。
【００２３】
上記（８）に記載のプロジェクタにおいては、前記回転ホイールの光透過領域には、減反射膜が形成されてなることが好ましい。
【００２４】
このように構成することにより、回転ホイールにおける光透過率が向上するため光利用効率の低下を最小限のものにすることができるとともに、迷光レベルが低減しコントラストが向上する。
【００２５】
上記（８）に記載のプロジェクタにおいては、前記インテグレータロッドの光射出面には、光進行方向に沿ってλ／４板と反射型偏光板とがこの順序で配置されてなることが好ましい。
【００２６】
このように構成することにより、一方の偏光成分の光が反射型偏光板を通過したときには、他方の偏光成分の光は反射型偏光板で反射される。そして、この反射光は、インテグレータロッドの光入射面側に設けられたリサイクルミラーで反射されて再度反射型偏光板に到達する。このとき、この光は、λ／４板をすでに２回通過しているため、偏光方向が９０度回転し、一方の偏光成分の光として反射型偏光板を通過する。このため、インテグレータロッドから射出される光はすべて一方の偏光成分の光となるため、このインテグレータロッドが偏光変換素子としての機能も果たすことができるようになる。従って、液晶表示装置のように偏光方向を制御する電気光学変調装置の場合に特に好適なものになる。
λ／４板としては、耐熱性が高い雲母や水晶などからなるλ／４板を好ましく用いることができる。反射型偏光板としては、耐熱性の高いワイヤグリッド型の反射型無機偏光板を好ましく用いることができる。
【００２７】
（９）上記（６）に記載のプロジェクタにおいては、前記照明装置は、被照明領域側に集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドと前記色分離光学系との間に配置された第１のフィールドレンス及び第２のフィールドレンズと、これら第１のフィールドレンズと第２のフィールドレンズとの間に配置され、光軸に垂直な回転軸を有するとともに、その回転によって、前記電気光学変調装置上で光照射領域と光非照射領域とが前記電気光学変調装置の画面書込み周波数に同期して順次交互にスクロールされるように構成された回転プリズムとを有する照明装置であることが好ましい。
【００２８】
このように構成することにより、上記のように構成された回転プリズムを所定の速度で回転させることによって、前記電気光学変調装置上で光照射領域と光非照射領域とが前記電気光学変調装置の画面書込み周波数に同期して順次交互にスクロールされるようになるため、尾引き現象が緩和され、滑らかで良質な動画表示が得られるプロジェクタとなる。
【００２９】
また、回転プリズムを用いてスクロールを実現しているため、光源装置からの照明光束を無駄無く電気光学変調装置上に導光することができるようになり、光利用効率の低下を極力抑制することができ、その結果、滑らかで良質な動画表示が得られるようにしたときにも光利用効率が大幅に低下しないプロジェクタとなり、本発明の第２の目的が達成される。
【００３０】
上記（９）に記載のプロジェクタにおいては、前記回転プリズムの光透過面には、減反射膜が形成されてなることが好ましい。
【００３１】
このように構成することにより、回転プリズムにおける光透過率が向上するため光利用効率の低下を最小限のものにすることができるとともに、迷光レベルが低減しコントラストが向上する。
【００３２】
（１０）上記（９）に記載のプロジェクタにおいては、前記インテグレータロッドの光射出面は、前記電気光学変調装置における光照射領域の形状に対応して、前記色分離光学系が構成する平面に対して直交する方向に沿って圧縮された断面形状を有してなる、又は前記色分離光学系が構成する平面に対して直交する方向に沿って圧縮された光射出面を有するように構成された光反射面が形成されてなることが好ましい。
【００３３】
このように構成することにより、アナモフィック光学系を用いなくとも、スクロール方向に圧縮された光照射領域と光非照射領域とが前記電気光学変調装置上で順次交互にスクロールされるようになる。
【００３４】
（１１）上記（７）〜（１０）のいずれかに記載のプロジェクタにおいては、前記光源装置は、楕円面リフレクタと、この楕円面リフレクタの第１焦点近傍に発光中心を有する発光管とを有する光源装置であることが好ましい。
【００３５】
このように構成することにより、集束光束を得るための凸レンズを必要としないため、凸レンズを必要とする放物面リフレクタを用いた光源装置と比較して、よりコンパクトな光学装置を実現することができる。
【００３６】
（１２）上記（６）に記載のプロジェクタにおいては、前記照明装置は、被照明領域側に略平行な集束光束を射出する光源装置と、この光源装置からの照明光束を複数の部分光束に分割するための小レンズを有する第１レンズアレイと、この第１レンズアレイの前記複数の小レンズに対応する複数の小レンズを有する第２レンズアレイと、この第２レンズアレイからの各部分光束を被照明領域で重畳させるための重畳レンズと、この重畳レンズと前記色分離光学系との間に配置された第１のフィールドレンス及び第２のフィールドレンズと、これら第１のフィールドレンズと第２のフィールドレンズとの間に配置され、光軸に垂直な回転軸を有するとともに、その回転によって、前記電気光学変調装置上で光照射領域と光非照射領域とが前記電気光学変調装置の画面書込み周波数に同期して順次交互にスクロールされるように構成された回転プリズムとを有する照明装置であってもよい。
【００３７】
このように構成することによっても、上記のように構成された回転プリズムを所定の速度で回転させることによって、前記電気光学変調装置上で光照射領域と光非照射領域とが前記電気光学変調装置の画面書込み周波数に同期して順次交互にスクロールされるようになるため、尾引き現象が緩和され、滑らかで良質な動画表示が得られるプロジェクタとなる。
【００３８】
また、回転プリズムを用いてスクロールを実現しているため、光源装置からの照明光束を無駄無く電気光学変調装置上に導光することができるようになり、光利用効率の低下を極力抑制することができ、その結果、滑らかで良質な動画表示が得られるようにしたときにも光利用効率が大幅に低下しないプロジェクタとなり、本発明の第２の目的が達成される。
【００３９】
上記（１２）に記載のプロジェクタにおいては、前記回転プリズムの光透過面には、減反射膜が形成されてなることが好ましい。
【００４０】
このように構成することにより、回転プリズムにおける光透過率が向上するため光利用効率の低下を最小限のものにすることができるとともに、迷光レベルが低減しコントラストが向上する。
【００４１】
（１３）上記（１２）に記載のプロジェクタにおいては、前記第１レンズアレイの小レンズの断面形状は、前記電気光学変調装置における光照射領域の形状に対応して、前記色分離光学系が構成する平面に対して直交する方向に沿って圧縮された断面形状を有してなる、又は前記色分離光学系が構成する平面に対して直交する方向に沿って圧縮された光射出面を有するように構成された遮光面が形成されてなることが好ましい。
【００４２】
このように構成することにより、アナモフィック光学系を用いなくとも、スクロール方向に圧縮された光照射領域と光非照射領域とが前記電気光学変調装置上で順次交互にスクロールされるようになる。
【００４３】
（１４）上記（１２）又は（１３）に記載のプロジェクタにおいては、前記光源装置は、楕円面リフレクタと、この楕円面リフレクタの第１焦点近傍に発光中心を有する発光管と、平行化レンズとを有する光源装置、又は放物面リフレクタと、この放物面リフレクタの焦点近傍に発光中心を有する発光管とを有する光源装置であることが好ましい。
【００４４】
このように構成することにより、前者の場合には、放物面リフレクタを用いた光源装置と比較して、よりコンパクトな光学装置を実現することができる。後者の場合には、平行化レンズを用いることなく略平行な照明光束を得ることができるため、平行化レンズを必要とする楕円面リフレクタを用いた光源装置と比較して、部品点数の少ない光学装置を実現することができる。
【００４５】
（１５）上記（１１）又は（１４）に記載のプロジェクタにおいては、前記発光管には、前記発光管から被照明領域側に射出される光を前記楕円面リフレクタ又は前記放物面リフレクタに向けて反射する反射手段が設けられていることが好ましい。
【００４６】
このように構成することにより、発光管から被照明領域側に放射される光が楕円面リフレクタ又は放物面リフレクタに向けて反射されるため、発光管の被照明領域側端部を覆うような大きさに楕円面リフレクタ又は放物面リフレクタの大きさを設定することを必要とせず、楕円面リフレクタ又は放物面リフレクタの小型化を図ることができ、結果としてプロジェクタの小型化を図ることができる。
また、楕円面リフレクタ又は放物面リフレクタの小型化を図ることができることにより、楕円面リフレクタから楕円面リフレクタの第２焦点に向けて集束するビームの集束角やビームスポットを小さくすることができ、放物面リフレクタから後段の光学系に射出する光ビームのビーム径を小さくすることができるため、インテグレータロッドの大きさ、回転ホイールの大きさ、各レンズアレイの大きさ、偏光変換素子の大きさ、重畳レンズの大きさ、色分離光学系の大きさなどをさらに小さくすることができ、プロジェクタのさらなる小型化を図ることができる。
【発明を実施するための最良の形態】
【００４７】
以下、本発明のプロジェクタについて、図に示す実施の形態に基づいて説明する。
【００４８】
〔実施形態１〕
図１は、本発明の実施形態１に係るプロジェクタを説明するために示す図である。図１（ａ）は平面図であり、図１（ｂ）は側面図であり、図１（ｃ）は図１（ａ）及び図１（ｂ）の回転ホイールを説明するために示す図であり、図１（ｄ）は被照明領域である電気光学変調装置としての液晶表示装置上における照明状態を示す図である。
【００４９】
実施形態１に係るプロジェクタ１０００Ａは、図１（ａ）及び（ｂ）に示すように、照明装置１００Ａと、照明装置１００Ａからの照明光束を赤、緑及び青の３つの色光に分離する色分離光学系２００Ａと、色分離光学系２００Ａで分離された３つの色光のそれぞれを画像情報に応じて変調する３つの液晶表示装置４００Ｒ，４００Ｇ，４００Ｂと、これら３つの液晶表示装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００５０】
実施形態１に係るプロジェクタ１０００Ａは、照明装置１００Ａの構成に特徴を有している。すなわち、照明装置１００Ａは、３つの液晶表示装置４００Ｒ，４００Ｇ，４００Ｂと共役の位置において照明光束が色分離光学系２００Ａが構成する平面（図１のｘｚ平面）に対して直交する方向（図１のｙ軸方向）に沿ってスクロールされる結果、３つの液晶表示装置４００Ｒ，４００Ｇ，４００Ｂ上で、光照射領域と光非照射領域とが、液晶表示装置４００Ｒ，４００Ｇ，４００Ｂの画面書込み周波数に同期して、色分離光学系２００Ａが構成する平面（図１のｘｚ平面）に対して直交する方向（図１のｙ軸方向）に沿って、順次交互にスクロールされるように構成されている。そして、３つの液晶表示装置４００Ｒ，４００Ｇ，４００Ｂ上で光照射領域と光非照射領域とがスクロールする方向は、３つの液晶表示装置４００Ｒ，４００Ｇ，４００Ｂですべて同一である。
【００５１】
このため、実施形態１に係るプロジェクタ１０００Ａによれば、上記のように構成された照明装置１００Ａを備えているため、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
また、実施形態１に係るプロジェクタ１０００Ａによれば、色分離光学系２００Ａの光源側に配置された１つの照明装置１００Ａによって照明光束のスクロールを実現しているため、液晶表示装置４００Ｒ，４００Ｇ，４００Ｂが複数（３つ）存在するにもかかわらず１つのスクロール機構しか必要としないため、プロジェクタの大型化を極力抑制することができるようになる。
このため、実施形態１に係るプロジェクタ１０００Ａは、滑らかで良質な動画表示が得られるようにした場合であっても小型化が容易な構造をもったプロジェクタとなる。
【００５２】
この場合、尾引き現象を緩和して滑らかで良質な動画表示を得るためには、必ずしもすべての電気光学変調装置上で光照射領域と光非照射領域とがスクロールする方向（スクロール方向）が同一である必要はないが、実施形態１に係るプロジェクタ１０００Ａのように、スクロール方向をすべて同一とすることによって、３つの液晶表示装置間で同じような条件で光照射を行うことができ、さらに良質な動画表示を得ることができるようになる。
【００５３】
実施形態１に係るプロジェクタ１０００Ａにおいては、照明装置１００Ａからの照明光束を３つの液晶表示装置４００Ｒ，４００Ｇ，４００Ｂに導く導光光学系のうち、一の色光（赤色光及び緑色光）についての一の導光光学系（赤色光用導光光学系及び緑色光用導光光学系）は相対的に短い導光距離を有し、他の色光（青色光）についての他の導光光学系（青色光用導光光学系）は相対的に長い導光距離を有している。そのため、他の導光光学系（青色光用導光光学系）は、一の導光光学系（赤色光用導光光学系及び緑色光用導光光学系）の構成に加えて２つのリレー光学系１６０，１７０をさらに有する導光光学系である。
【００５４】
リレー光学系においては物体と像との関係は反転の関係にある。このため、１つのリレー光学系を用いるだけでは、物体と像との関係は反転の関係にある。そこで、実施形態１に係るプロジェクタ１０００Ａのように、導光光学系として、２つのリレー光学系１６０，１７０を直列に用いることにより、物体と像との関係を正立の関係にすることができるようになる。このため、上記のように構成することにより、３つの液晶表示装置４００Ｒ，４００Ｇ，４００Ｂ上でスクロール方向をすべて同一とすることができる。
【００５５】
リレー光学系１６０は、図１（ａ）に示すように、入射側レンズ１５０Ｂ、中間レンズ１６２及び射出側レンズ１６４並びにミラー２３０からなっている。リレー光学系１７０は、図１（ａ）に示すように、入射側レンズ１７２、中間レンズ１７４及び射出側レンズ１７６並びにミラー２４０からなっている。
【００５６】
照明装置１００Ａは、楕円面リフレクタ１１４、高圧水銀ランプなどからなる発光管１１２及び反射手段としての補助ミラー１１６を有する光源装置１１０と、この光源装置１１０から射出された光を液晶表示装置４００の画像形成領域（被照明領域）上に均一に照射するためのインテグレータロッド１２０と、このインテグレータロッド１２０からの射出光を液晶表示装置４００Ｒ，４００Ｇ，４００Ｂの画像形成領域（被照明領域）上に導くリレーレンズ１４０とを有している。
【００５７】
実施形態１に係るプロジェクタ１０００Ａにおいては、図１（ａ）及び（ｂ）に示すように、楕円面リフレクタ１１４の第２焦点位置近傍に、インテグレータロッド１２０の光入射面が配置されている。また、インテグレータロッド１２０の色分離光学系２００Ａ側には回転ホイール３０が配置されている。この回転ホイール３０は、図１（ｂ）に示すように、光軸に平行な回転軸を有するとともに、図１（ｃ）及び図１（ｄ）に示すように、その回転によって、液晶表示装置４００Ｒ，４００Ｇ，４００Ｂ上で光照射領域と光非照射領域とが液晶表示装置４００Ｒ，４００Ｇ，４００Ｂの画面書込み周波数に同期して順次交互にスクロールされるように構成された光透過領域３２と光非透過領域としての光反射領域３４とを有している。
【００５８】
図２は、インテグレータロッドを説明するために示す図である。図２（ａ）は実施形態１に係るプロジェクタで用いるインテグレータロッドを示す図であり、図２（ｂ）及び図２（ｃ）はその変形例に係るインテグレータロッドを示す図である。
実施形態１に係るプロジェクタ１０００Ａにおいては、インテグレータロッド１２０の光入射面には中央部に光入射のための開口部を有する反射層（リサイクルミラー）が配置されている（図２（ａ）の符号１２５参照。）。このため、回転ホイール３０の光反射領域３４で反射された光は、インテグレータロッド１２０内に戻され、さらにインテグレータロッド１２０のリサイクルミラー１２５で反射されてインテグレータロッド１２０の光射出面から再度射出される。この場合、この射出光が回転ホイール３０の光透過領域３２に照射される場合にはそのままこれを透過し、射出光が回転ホイール３０の光反射領域３４に照射される場合には反射されて再度インテグレータロッド１２０に戻され、再度同じことを繰り返すことになる。
このため、実施形態１に係るプロジェクタによれば、光の再利用が図られ、光利用効率の低下を極力抑制することができ、その結果、滑らかで良質な動画表示が得られるようにした場合であっても光利用効率が大幅に低下しないようになる。
【００５９】
また、実施形態１に係るプロジェクタ１０００Ａにおいては、図２（ａ）に示すように、インテグレータロッド１２０の光射出面には、光進行方向に沿ってλ／４板１２６と反射型偏光板１２８とがこの順序で配置されている。このため、一方の偏光成分の光（例えばＰ偏光）が反射型偏光板１２８を通過したときには、他方の偏光成分の光（Ｓ偏光）は反射型偏光板１２８で反射される。そして、この反射光は、インテグレータロッド１２０の光入射面側に設けられたリサイクルミラー１２５で反射されて再度反射型偏光板１２８に到達する。このとき、この光は、λ／４板１２６をすでに２回通過しているため、偏光方向が９０度回転し、一方の偏光成分の光（Ｐ偏光）として反射型偏光板１２８を通過する。このため、インテグレータロッド１２０から射出される光はすべて一方の偏光成分の光（Ｐ偏光）となるため、このインテグレータロッドが偏光変換素子としての機能も果たすことができるようになる。
λ／４板１２６としては、耐熱性が高い雲母や水晶などからなるλ／４板を好ましく用いることができる。反射型偏光板１２８としては、耐熱性の高いワイヤグリッド型の反射型無機偏光板を好ましく用いることができる。
【００６０】
実施形態１に係るプロジェクタ１０００Ａにおいては、回転ホイール３０の光透過領域３２には減反射膜が形成されている。このため、光透過率が向上して光利用効率の低下を最小限のものにすることができるとともに、迷光レベルが低減しコントラストが向上する。
【００６１】
実施形態１に係るプロジェクタ１０００Ａにおいては、図２（ａ）に示すインテグレータロッド１２０に代えて、図２（ｂ）に示す中空タイプのインテグレータロッド１２０Ｂや、図２（ｃ）に示すλ／４板及び反射型偏光板が配置されていないインテグレータロッド１２０Ｃをも好適に用いることができる。
特に、電気光学変調装置として、偏光方向を制御しないタイプの電気光学変調装置（例えば、デジタルマイクロミラーデバイス（ＴＩ社の商標））を用いる場合には、偏光変換機能は不要であるため、図２（ｃ）に示すインテグレータロッド１２０Ｃを特に好適に用いることができる。
【００６２】
実施形態１に係るプロジェクタ１０００Ａにおいては、図１（ａ）及び図１（ｂ）に示すように、発光管１１２には発光管１１２から被照明領域側に射出される光を楕円面リフレクタ１１４に向けて反射する反射手段としての補助ミラー１１６が設けられている。
このため、発光管１１２から被照明領域側に放射される光が楕円面リフレクタ１１４に向けて反射されるため、発光管１１２の被照明領域側端部を覆うような大きさに楕円面リフレクタ１１４の大きさを設定することを必要とせず、楕円面リフレクタ１１４の小型化を図ることができ、結果としてプロジェクタの小型化を図ることができる。
また、楕円面リフレクタ１１４の小型化を図ることができることにより、楕円面リフレクタ１１４から楕円面リフレクタ１１４の第２焦点に向けて集束するビームの集束角やビームスポットを小さくすることができ、インテグレータロッド１２０の大きさ、回転ホイール３０の大きさなどをさらに小さくすることができ、プロジェクタのさらなる小型化を図ることができる。
【００６３】
〔実施形態２〕
図３は、本発明の実施形態２に係るプロジェクタを説明するために示す図である。図３（ａ）は平面図であり、図３（ｂ）は側面図であり、図３（ｃ）は図３（ａ）及び図３（ｂ）の回転ホイールを説明するために示す図であり、図３（ｄ）は被照明領域である液晶表示装置上における照明状態を示す図である。
【００６４】
実施形態２に係るプロジェクタ１０００Ｂは、実施形態１に係るプロジェクタ１０００Ａと、青色光用導光光学系の構成が異なっている。
すなわち、実施形態１に係るプロジェクタ１０００Ａにおいては、他の導光光学系（青色光用導光光学系）は、一の導光光学系（赤色光用導光光学系及び緑色光用導光光学系）の構成に加えて２つのリレー光学系１６０，１７０をさらに有する導光光学系であるのに対して、実施形態２に係るプロジェクタ１０００Ｂにおいては、他の導光光学系（青色光用導光光学系）は、一の導光光学系（赤色光用導光光学系及び緑色光用導光光学系）の構成に加えて１つのリレー光学系１８０及び３枚のミラー２５２，２５４，２５６からなる１つの反転光学系２５０をさらに有する導光光学系である。
【００６５】
リレー光学系においては物体と像との関係は反転の関係にある。このため、１つのリレー光学系を用いるだけでは、物体と像との関係は反転の関係にある。そこで、実施形態２に係るプロジェクタ１０００Ｂにおいては、液晶表示装置４００Ｂにおけるスクロール方向及びスクロール方向に直交する方向のうちスクロール方向のみを反転する反転光学系をさらに用いることで、複数の液晶表示装置４００Ｒ,４００Ｇ,４００Ｂ上でスクロール方向をすべて同一とすることができ、さらに良質な動画表示を得ることができるようになる。
なお、スクロール方向に直交する方向（図３中ｙ方向又はｚ方向）については、照明装置から射出される照明光束と各液晶表示装置４００Ｒ，４００Ｇ，４００Ｂに照射される照明光束とは反転の関係になるが、照明光束は通常スクロール方向に直交する方向に沿って対称性の高い強度分布を有するため、これによって表示画像が受ける悪影響は極めて小さいものになる。
【００６６】
このように、実施形態２に係るプロジェクタ１０００Ｂは、他の導光光学系（青色光用導光光学系）の構成が、実施形態１に係るプロジェクタ１０００Ａとは異なるが、実施形態１に係るプロジェクタ１０００Ａの場合と同様に、照明装置１００Ａは、３つの液晶表示装置４００Ｒ，４００Ｇ，４００Ｂと共役の位置において照明光束が色分離光学系２００Ｂが構成する平面（図３のｘｚ平面）に対して直交する方向（図３のｙ軸方向）に沿ってスクロールされる結果、３つの液晶表示装置４００Ｒ，４００Ｇ，４００Ｂ上で、光照射領域と光非照射領域とが、液晶表示装置４００Ｒ，４００Ｇ，４００Ｂの画面書込み周波数に同期して、色分離光学系２００Ｂが構成する平面（図３のｘｚ平面）に対して直交する方向（図３のｙ軸方向）に沿って、順次交互にスクロールされるように構成されている。そして、３つの液晶表示装置４００Ｒ，４００Ｇ，４００Ｂ上で光照射領域と光非照射領域とがスクロールする方向は、３つの液晶表示装置４００Ｒ，４００Ｇ，４００Ｂですべて同一である。
【００６７】
このため、実施形態２に係るプロジェクタ１０００Ｂによれば、上記のように構成された照明装置１００Ａを備えているため、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
また、実施形態２に係るプロジェクタ１０００Ｂによれば、色分離光学系の光源側に配置された１つの照明装置１００Ａによって照明光束のスクロールを実現しているため、液晶表示装置４００Ｒ，４００Ｇ，４００Ｂが複数（３つ）存在するにもかかわらず１つのスクロール機構しか必要としないため、プロジェクタの大型化を極力抑制することができるようになる。
このため、実施形態２に係るプロジェクタ１０００Ｂは、滑らかで良質な動画表示が得られるようにした場合であっても小型化が容易な構造をもったプロジェクタとなる。
【００６８】
〔実施形態３〕
図４は、本発明の実施形態３に係るプロジェクタを説明するために示す図である。図４（ａ）は平面図であり、図４（ｂ）は側面図であり、図４（ｃ）は図４（ａ）及び図４（ｂ）の回転ホイールを説明するために示す図であり、図４（ｄ）は被照明領域である液晶表示装置上における照明状態を示す図である。
【００６９】
実施形態３に係るプロジェクタ１０００Ｃは、実施形態２に係るプロジェクタ１０００Ｂと同様に、他の導光光学系（青色光用導光光学系）として、一の導光光学系（赤色光用導光光学系及び緑色光用導光光学系）の構成に加えて１つのリレー光学系１９０及び１つの反転光学系をさらに有する導光光学系を用いている。実施形態３に係るプロジェクタ１０００Ｃが、実施形態２に係るプロジェクタ１０００Ｂと異なるのは、反転光学系の構成である。すなわち、実施形態２に係るプロジェクタ１０００Ｂにおいては、３枚のミラー２５２，２５４，２５６からなる１つの反転光学系２５０を用いているのに対して、実施形態３に係るプロジェクタ１０００Ｃにおいては、断面形状が台形である台形プリズム（ドーブプリズム）２６０からなる反転光学系を用いている。
【００７０】
このように、実施形態３に係るプロジェクタ１０００Ｃは、他の導光光学系（青色光用導光光学系）の構成が、実施形態２に係るプロジェクタ１０００Ｂの青色光用導光光学系とは異なるが、実施形態２に係るプロジェクタ１０００Ｂの場合と同様に、照明装置１００Ａは、３つの液晶表示装置４００Ｒ，４００Ｇ，４００Ｂと共役の位置において照明光束が色分離光学系２００Ｃが構成する平面（図４のｘｚ平面）に対して直交する方向（図４のｙ軸方向）に沿ってスクロールされる結果、３つの液晶表示装置４００Ｒ，４００Ｇ，４００Ｂ上で、光照射領域と光非照射領域とが、液晶表示装置４００Ｒ，４００Ｇ，４００Ｂの画面書込み周波数に同期して、色分離光学系２００Ｃが構成する平面（図４のｘｚ平面）に対して直交する方向（図４のｙ軸方向）に沿って、順次交互にスクロールされるように構成されている。そして、３つの液晶表示装置４００Ｒ，４００Ｇ，４００Ｂ上で光照射領域と光非照射領域とがスクロールする方向は、３つの液晶表示装置４００Ｒ，４００Ｇ，４００Ｂですべて同一である。
【００７１】
このため、実施形態３に係るプロジェクタ１０００Ｃによれば、上記のように構成された照明装置１００Ａを備えているため、液晶表示装置４００Ｒ，４００Ｇ，４００Ｂの画像形成領域においては光照射領域と光非照射領域が順次交互にスクロールされるようになる。その結果、尾引き現象が緩和され、滑らかで良質な動画表示が得られるプロジェクタとなる。
また、実施形態３に係るプロジェクタ１０００Ｃによれば、色分離光学系の光源側に配置された１つの照明装置１００Ａによって照明光束のスクロールを実現しているため、液晶表示装置４００Ｒ，４００Ｇ，４００Ｂが複数（３つ）存在するにもかかわらず１つのスクロール機構しか必要としないため、プロジェクタの大型化を極力抑制することができるようになる。
このため、実施形態３に係るプロジェクタ１０００Ｃは、滑らかで良質な動画表示が得られるようにした場合であっても小型化が容易な構造をもったプロジェクタとなる。
【００７２】
〔実施形態４〕
図５は、本発明の実施形態４に係るプロジェクタを説明するために示す図である。図５（ａ）は平面図であり、図５（ｂ）は側面図であり、図５（ｃ）は図５（ａ）及び図５（ｂ）の回転ホイールを説明するために示す図であり、図５（ｄ）は被照明領域である液晶表示装置上における照明状態を示す図である。
【００７３】
実施形態４に係るプロジェクタ１０００Ｄは、実施形態１〜３に係るプロジェクタ１０００Ａ〜１０００Ｃの場合とは異なって、照明装置１００Ａからの照明光束を３つの液晶表示装置４００Ｒ，４００Ｇ，４００Ｂに導く導光光学系のうちいずれの色光についての導光光学系も同一の導光距離を有する導光光学系であり、これらの導光光学系に含まれるリレー光学系の数が等しいことを特徴としている。
【００７４】
このため、照明装置１００Ａから射出される照明光束と液晶表示装置４００Ｒ，４００Ｇ，４００Ｂに照射される照明光束との関係（反転関係又は正立関係）を、３つの液晶表示装置４００Ｒ，４００Ｇ，４００Ｂ間ですべて同一とすることができるため、３つの液晶表示装置４００Ｒ，４００Ｇ，４００Ｂ上でスクロール方向をすべて同一とすることができる。
【００７５】
このように、実施形態４に係るプロジェクタ１０００Ｄは、導光光学系の構成が、実施形態１〜３に係るプロジェクタ１０００Ａ〜１０００Ｃの場合とは異なるが、実施形態１〜３に係るプロジェクタ１０００Ａ〜１０００Ｃの場合と同様に、照明装置１００Ａは、３つの液晶表示装置４００Ｒ，４００Ｇ，４００Ｂと共役の位置において照明光束が色分離光学系２００Ｄが構成する平面（図５のｘｚ平面）に対して直交する方向（図５のｙ軸方向）に沿ってスクロールされる結果、３つの液晶表示装置４００Ｒ，４００Ｇ，４００Ｂ上で、光照射領域と光非照射領域とが、液晶表示装置４００Ｒ，４００Ｇ，４００Ｂの画面書込み周波数に同期して、色分離光学系２００Ｄが構成する平面（図５のｘｚ平面）に対して直交する方向（図５のｙ軸方向）に沿って、順次交互にスクロールされるように構成されている。そして、３つの液晶表示装置４００Ｒ，４００Ｇ，４００Ｂ上で光照射領域と光非照射領域とがスクロールする方向は、３つの液晶表示装置４００Ｒ，４００Ｇ，４００Ｂですべて同一である。
【００７６】
このため、実施形態４に係るプロジェクタ１０００Ｄによれば、上記のように構成された照明装置１００Ａを備えているため、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
また、実施形態４に係るプロジェクタ１０００Ｄによれば、色分離光学系の光源側に配置された１つの照明装置１００Ａによって照明光束のスクロールを実現しているため、液晶表示装置４００Ｒ，４００Ｇ，４００Ｂが複数（３つ）存在するにもかかわらず１つのスクロール機構しか必要としないため、プロジェクタの大型化を極力抑制することができるようになる。
このため、実施形態４に係るプロジェクタ１０００Ｄは、滑らかで良質な動画表示が得られるようにした場合であっても小型化が容易な構造をもったプロジェクタとなる。
【００７７】
〔実施形態５〕
図６は、本発明の実施形態５に係るプロジェクタを説明するために示す図である。図６（ａ）は平面図であり、図６（ｂ）は側面図であり、図６（ｃ）は図６（ａ）及び（ｂ）のインテグレータロッドを説明するために示す図である。また、図７は、回転プリズムの回転と液晶表示装置上の照明状態との関係を示す図である。
【００７８】
実施形態５に係るプロジェクタ１０００Ｅは、実施形態１〜４に係るプロジェクタ１０００Ａ〜１０００Ｄとは、照明装置の構成が異なる。すなわち、実施形態５に係るプロジェクタ１０００Ｅにおいては、照明装置１００Ｅは、被照明領域側に集束光束として射出する光源装置１１０と、光源装置１１０からの照明光束が集束する位置近傍に光入射面を有し、光源装置１１０からの照明光束をより均一な強度分布を有する照明光束に変換するインテグレータロッド１２０Ｅと、インテグレータロッド１２０Ｅと色分離光学系２００Ｅとの間に配置された第１のフィールドレンス７５０及び第２のフィールドレンズ７５２と、これら第１のフィールドレンズ７５０と第２のフィールドレンズ７６０との間に配置され、光軸に垂直な回転軸７７２を有するとともに、その回転によって、液晶表示装置４００Ｒ，４００Ｇ，４００Ｂ上で光照射領域と光非照射領域とが液晶表示装置４００Ｒ，４００Ｇ，４００Ｂの画面書込み周波数に同期して順次交互にスクロールされるように構成された回転プリズム７７０とを有する照明装置である。
【００７９】
このため、実施形態５に係るプロジェクタ１０００Ｅによれば、上記のように構成された回転プリズム７７０を所定の速度で回転させることによって、液晶表示装置４００Ｒ，４００Ｇ，４００Ｂ上で光照射領域と光非照射領域とが液晶表示装置４００Ｒ，４００Ｇ，４００Ｂの画面書込み周波数に同期して順次交互にスクロールされるようになるため、尾引き現象が緩和され、滑らかで良質な動画表示が得られるプロジェクタとなる。
【００８０】
このように、実施形態５に係るプロジェクタ１０００Ｅは、照明装置の構成が、実施形態１〜４に係るプロジェクタ１０００Ａ〜１０００Ｄの場合とは異なるが、実施形態１〜４に係るプロジェクタ１０００Ａ〜１０００Ｄの場合と同様に、照明装置１００Ｅは、３つの液晶表示装置４００Ｒ，４００Ｇ，４００Ｂと共役の位置において照明光束が色分離光学系２００Ｅが構成する平面（図６のｘｚ平面）に対して直交する方向（図６のｙ軸方向）に沿ってスクロールされる結果、３つの液晶表示装置４００Ｒ，４００Ｇ，４００Ｂ上で、光照射領域と光非照射領域とが、液晶表示装置４００Ｒ，４００Ｇ，４００Ｂの画面書込み周波数に同期して、色分離光学系２００Ｅが構成する平面（図６のｘｚ平面）に対して直交する方向（図６のｙ軸方向）に沿って、順次交互にスクロールされるように構成されている。そして、３つの液晶表示装置４００Ｒ，４００Ｇ，４００Ｂ上で光照射領域と光非照射領域とがスクロールする方向は、３つの液晶表示装置４００Ｒ，４００Ｇ，４００Ｂですべて同一である。
【００８１】
このため、実施形態５に係るプロジェクタ１０００Ｅによれば、上記のように構成された照明装置１００Ｅを備えているため、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
また、実施形態５に係るプロジェクタ１０００Ｅによれば、色分離光学系の光源側に配置された１つの照明装置１００Ｅによって照明光束のスクロールを実現しているため、液晶表示装置４００Ｒ，４００Ｇ，４００Ｂが複数（３つ）存在するにもかかわらず１つのスクロール機構しか必要としないため、プロジェクタの大型化を極力抑制することができるようになる。
このため、実施形態５に係るプロジェクタ１０００Ｅは、滑らかで良質な動画表示が得られるようにした場合であっても小型化が容易な構造をもったプロジェクタとなる。
【００８２】
なお、実施形態５に係るプロジェクタ１０００Ｅにおいては、回転プリズム７７０の光透過面には、減反射膜が形成されている。このため、回転プリズム７７０における光透過率が向上するため光利用効率の低下を最小限のものにすることができるとともに、迷光レベルが低減しコントラストが向上する。
【００８３】
また、実施形態５に係るプロジェクタ１０００Ｅにおいては、図６（ａ）〜図６（ｃ）に示すように、インテグレータロッド１２０Ｅの光射出面１２０Ｅｏは、液晶表示装置４００Ｒ，４００Ｇ，４００Ｂにおける光照射領域の形状に対応して、色分離光学系２００Ｅが構成する平面に対して直交する方向（ｙ軸方向）に沿って圧縮された断面形状を有している。このため、アナモフィック光学系を用いなくとも、スクロール方向に圧縮された光照射領域と光非照射領域とが液晶表示装置４００Ｒ，４００Ｇ，４００Ｂ上で順次交互にスクロールされるようになる。
インテグレータロッド１２０Ｅに代えて、色分離光学系２００Ｅが構成する平面に対して直交する方向（ｙ軸方向）に沿って圧縮された光射出面を有するように構成された光反射面が形成された光射出面を有するインテグレータロッドを用いることもできる。
【００８４】
〔実施形態６〕
図８は、本発明の実施形態６に係るプロジェクタの光学系を示す図である。図８（ａ）は平面図であり、図８（ｂ）は側面図である。
【００８５】
実施形態６に係るプロジェクタ１０００Ｆは、図８に示すように、実施形態５に係るプロジェクタ１０００Ｅとは、照明装置の構成が異なる。すなわち、実施形態６に係るプロジェクタ１０００Ｆにおいては、照明装置１００Ｆは、被照明領域側に略平行な集束光束を射出する光源装置１１０Ｆと、光源装置１１０Ｆからの照明光束を複数の部分光束に分割するための小レンズを有する第１レンズアレイ１３２と、第１レンズアレイ１３２の複数の小レンズに対応する複数の小レンズを有する第２レンズアレイ１３４と、第２レンズアレイ１３４からの各部分光束を被照明領域で重畳させるための重畳レンズ１３８と、重畳レンズ１３８と色分離光学系２００Ｅとの間に配置された第１のフィールドレンス７５０及び第２のフィールドレンズ７５２と、これら第１のフィールドレンズ７５０と第２のフィールドレンズ７５２との間に配置され、光軸に垂直な回転軸７７２を有するとともに、その回転によって、液晶表示装置４００Ｒ，４００Ｇ，４００Ｂ上で光照射領域と光非照射領域とが液晶表示装置４００Ｒ，４００Ｇ，４００Ｂの画面書込み周波数に同期して順次交互にスクロールされるように構成された回転プリズム７７０とを有する照明装置である。
【００８６】
このため、実施形態６に係るプロジェクタ１０００Ｆにおいても、実施形態５に係るプロジェクタ１０００Ｅの場合と同様に、上記のように構成された回転プリズム７７０を所定の速度で回転させることによって、液晶表示装置４００Ｒ，４００Ｇ，４００Ｂ上で光照射領域と光非照射領域とが液晶表示装置４００Ｒ，４００Ｇ，４００Ｂの画面書込み周波数に同期して順次交互にスクロールされるようになるため、尾引き現象が緩和され、滑らかで良質な動画表示が得られるプロジェクタとなる。
【００８７】
このように、実施形態６に係るプロジェクタ１０００Ｆは、照明装置の構成が、実施形態１〜４に係るプロジェクタ１０００Ａ〜１０００Ｄの場合とは異なるが、実施形態１〜４に係るプロジェクタ１０００Ａ〜１０００Ｄの場合と同様に、照明装置１００Ｆは、３つの液晶表示装置４００Ｒ，４００Ｇ，４００Ｂと共役の位置において照明光束が色分離光学系２００Ｅが構成する平面（図８のｘｚ平面）に対して直交する方向（図８のｙ軸方向）に沿ってスクロールされる結果、３つの液晶表示装置４００Ｒ，４００Ｇ，４００Ｂ上で、光照射領域と光非照射領域とが、液晶表示装置４００Ｒ，４００Ｇ，４００Ｂの画面書込み周波数に同期して、色分離光学系２００Ｅが構成する平面（図８のｘｚ平面）に対して直交する方向（図８のｙ軸方向）に沿って、順次交互にスクロールされるように構成されている。そして、３つの液晶表示装置４００Ｒ，４００Ｇ，４００Ｂ上で光照射領域と光非照射領域とがスクロールする方向は、３つの液晶表示装置４００Ｒ，４００Ｇ，４００Ｂですべて同一である。
【００８８】
このため、実施形態６に係るプロジェクタ１０００Ｆによれば、上記のように構成された照明装置１００Ｆを備えているため、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
また、実施形態６に係るプロジェクタ１０００Ｆによれば、色分離光学系の光源側に配置された１つの照明装置１００Ｆによって照明光束のスクロールを実現しているため、液晶表示装置４００Ｒ，４００Ｇ，４００Ｂが複数（３つ）存在するにもかかわらず１つのスクロール機構しか必要としないため、プロジェクタの大型化を極力抑制することができるようになる。
このため、実施形態６に係るプロジェクタ１０００Ｆは、滑らかで良質な動画表示が得られるようにした場合であっても小型化が容易な構造をもったプロジェクタとなる。
【００８９】
実施形態６に係るプロジェクタ１０００Ｆにおいては、回転プリズム７７０の光透過面には、減反射膜が形成されている。このため、回転プリズム７７０における光透過率が向上するため光利用効率の低下を最小限のものにすることができるとともに、迷光レベルが低減しコントラストが向上する。
【００９０】
また、実施形態６に係るプロジェクタ１０００Ｆにおいては、図８に示すように、第２レンズアレイ１３４からの照明光束を所定方向の偏光軸をもつ照明光束に変換する偏光変換素子１３６を備えている。このため、回転プリズム７７０に入射する光、ひいては液晶表示装置４００Ｒ，４００Ｇ，４００Ｂに照射される光を偏光光とすることができ、光利用効率を向上することができる。
【００９１】
なお、実施形態６に係るプロジェクタ１０００Ｆにおいては、図８（ａ）及び（ｂ）に示すように、第１レンズアレイ１３２の小レンズの断面形状は、液晶表示装置４００Ｒ，４００Ｇ，４００Ｂにおける光照射領域の形状に対応して、色分離光学系２００Ｅが構成する平面に対して直交する方向（ｙ軸方向）に沿って圧縮された断面形状を有している。このため、アナモフィック光学系を用いなくとも、スクロール方向に圧縮された光照射領域と光非照射領域とが液晶表示装置４００Ｒ，４００Ｇ，４００Ｂ上で順次交互にスクロールされるようになる。
なお、第１レンズアレイ１３２に代えて、色分離光学系２００Ｅが構成する平面に対して直交する方向（ｙ軸方向）に沿って圧縮された光射出面を有するように構成された遮光面が形成された第１レンズアレイを用いることもできる。
【００９２】
また、実施形態６に係るプロジェクタ１０００Ｆにおいては、被照明領域側に略平行な集束光束を射出するために楕円面リフレクタ１１４及び平行化レンズ１３０を有する光源装置１１０Ｆを例として示したが、放物面リフレクタであってもよい。この場合は、平行化レンズを用いることなく略平行な照明光束を得ることができるため、平行化レンズを必要とする楕円面リフレクタを用いた光源装置と比較して、部品点数の少ない光学装置を実現することができる。
【００９３】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００９４】
（１）上記各実施形態のプロジェクタ１０００Ａ〜１０００Ｆは透過型のプロジェクタであるが、本発明は反射型のプロジェクタにも適用することが可能である。ここで、「透過型」とは、透過型の液晶表示装置等のように光変調手段としての電気光学変調装置が光を透過するタイプであることを意味しており、「反射型」とは、反射型液晶表示装置のように光変調手段としての電気光学変調装置が光を反射するタイプであることを意味している。反射型のプロジェクタにこの発明を適用した場合にも、透過型のプロジェクタと同様の効果を得ることができる。 
【００９５】
（２）上記各実施形態のプロジェクタ１０００Ａ〜１０００Ｆは、電気光学変調装置として液晶表示装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【図面の簡単な説明】
【００９６】
【図１】実施形態１に係るプロジェクタを説明するために示す図。
【図２】インテグレータロッドを説明するために示す図。
【図３】実施形態２に係るプロジェクタを説明するために示す図。
【図４】実施形態３に係るプロジェクタを説明するために示す図。
【図５】実施形態４に係るプロジェクタを説明するために示す図。
【図６】実施形態５に係るプロジェクタを説明するために示す図。
【図７】回転プリズムの回転と液晶表示装置上の照明状態との関係を示す図。
【図８】実施形態６に係るプロジェクタの光学系を示す図。
【図９】従来のプロジェクタを説明するために示す図。
【図１０】従来の他のプロジェクタを説明するために示す図。
【符号の説明】
【００９７】
１０…モータ、３０…回転ホイール、３２…光透過領域、３４…光反射領域、１００Ａ，１００Ｅ，１００Ｆ…照明装置、１１０，１１０Ｆ…光源装置、１１２…発光管、１１４…楕円面リフレクタ、１１６…補助ミラー、１１８…赤外線反射板、１２０，１２０Ｂ，１２０Ｃ，１２０Ｅ…インテグレータロッド、１２２…光学ガラス、１２４…ミラー、１２５…リサイクルミラー、１２６…λ／４板、１２８…反射型偏光板、１３０…平行化レンズ、１３２…第１レンズアレイ、１３４…第２レンズアレイ、１３６…偏光変換素子、１３８…重畳レンズ、１４０…リレーレンズ、１６０，１７０，１８０，１９０…リレー光学系、２００Ａ，２００Ｂ，２００Ｃ，２００Ｄ，２００Ｅ…色分離光学系、２３０，２４０，２５２，２５４，２５６…ミラー、２６０…台形プリズム、７００、７１０Ｒ，７１０Ｇ，７１０Ｂ…リレー光学系、７５０，７５２…フィールドレンズ、７７０…回転プリズム、７７２…回転軸、４００，４００Ｒ，４００Ｇ，４００Ｂ…液晶表示装置、５００…クロスダイクロイックプリズム、６００…投写光学系、９００Ａ，９００Ｂ，１０００Ａ，１０００Ｂ，１０００Ｃ，１０００Ｄ，１０００Ｅ，１０００Ｆ…プロジェクタ
【図１】
2005173001.tif 000003
【図２】
2005173001.tif 000004
【図３】
2005173001.tif 000005
【図４】
2005173001.tif 000006
【図５】
2005173001.tif 000007
【図８】
2005173001.tif 000008
【図９】
2005173001.tif 000009
【図１０】
2005173001.tif 000010
【図６】
2005173001.tif 000011
【図７】
2005173001.tif 000012